(57)【要約】【課題】ユーザはより良い撮影条件で撮影を行うための情報を提示する。【解決手段】ランドマークの識別情報、高さ情報を含む位置情報を記憶するランドマーク情報記憶部２４と、被写体を撮影する撮影部８０と、撮影部８０の位置を示す位置情報を検出する位置判断部３２と、撮影方向を示す方向情報を検出する方向判断部３４と、撮影高度を示す高度情報を検出する位置判断部３２と、ランドマーク情報記憶部２４に記憶されたランドマーク情報６６と、撮影部８０の位置情報、方向情報、および高度情報とを比較して、ランドマーク情報記憶部２４に記憶されているランドマークの識別情報で識別されるランドマークが撮影可能か否かを判断する撮影判断部３６と、撮影可能と判断されたランドマークのランドマーク情報６６を出力する出力制御部５０を備えている。【選択図】図１
2010050927.tif 000002
【特許請求の範囲】
【請求項１】
撮影可能なランドマークを提示するための提示情報と、当該ランドマークの高さ情報を含む位置情報とを対応付けて記憶する提示情報記憶部と、
被写体を撮影する撮影部と、
前記撮影部の位置を示す位置情報を検出する位置検出手段と、
前記撮影部の撮影方向を示す方向情報を検出する方向検出手段と、
前記撮影部の撮影高度を示す高度情報を検出する高度検出手段と、
前記提示情報記憶部に記憶された位置情報と、前記撮影部の位置情報、方向情報、および高度情報とを用いて、前記提示情報記憶部に提示情報および位置情報が記憶されているランドマークが撮影可能か否かを判断する撮影判断手段と、
前記撮影判断手段にて撮影可能と判断されたランドマークの前記提示情報を出力する出力制御手段とを備えることを特徴とする撮影装置。
【請求項２】
前記撮影部が撮影した撮影画像を表示する撮影画像表示部と、
位置情報を含む地図画像を記憶する地図情報記憶部と、
前記位置検出手段が検出した前記撮影部の位置情報に対応する前記地図画像を表示する地図表示部とをさらに備え、
前記出力制御手段は、前記位置検出手段が検出した位置情報および前記方向検出手段が検出した方向情報に基づいて、前記撮影画像、前記地図画像、および前記提示情報を対応づけて前記撮影画像表示部または前記地図表示部に表示することを特徴とする請求項１に記載の撮影装置。
【請求項３】
前記出力制御手段は、前記撮影判断手段にて撮影可能と判断されたランドマークの提示情報のうちの少なくとも１つを前記地図画像に重畳して表示することを特徴とする請求項２に記載の撮影装置。
【請求項４】
前記出力制御手段は、前記地図表示部における前記地図画像の表示範囲内に前記撮影判断手段が撮影可能と判断したランドマークが含まれない場合、撮影可能と判断した前記ランドマークの位置情報と対応する地図画像の領域が前記地図表示部の表示範囲内に含まれるように当該地図画像の表示範囲、および、表示縮尺の少なくとも一方を変更して、地図画像を表示することを特徴とする請求項２または３に記載の撮影装置。
【請求項５】
前記出力制御手段は、前記地図表示部における前記地図画像の表示範囲内に前記撮影判断手段が撮影可能と判断したランドマークが含まれない場合、前記地図表示部における当該地図画像の領域外に撮影可能と判断された前記ランドマークの提示情報のうち少なくとも１つを表示することを特徴とする請求項２に記載の撮影装置。
【請求項６】
前記出力制御手段は、前記方向情報に基づいて前記地図画像を回転させて表示することを特徴とする請求項２から５のいずれか１項に記載の撮影装置。
【請求項７】
前記出力制御手段は、前記方向情報に基づいて前記撮影部の撮影方向を示す画像、および撮影範囲を示す画像の少なくとも一方を前記地図画像に重畳して表示することを特徴とする請求項２から６のいずれか１項に記載の撮影装置。
【請求項８】
前記出力制御手段は、前記方向情報に基づいて、前記撮影部が撮影した前記被写体の撮影画像に対応させて、撮影可能と判断された前記ランドマークの提示情報を表示することを特徴とする請求項２から７のいずれか１項に記載の撮影装置。
【請求項９】
前記出力制御手段は、前記撮影部の撮影方向、または、撮影高度を変更することで撮影可能となるランドマークが存在する場合、当該ランドマークを撮影可能にする撮影方向、または、撮影高度を変更する手順を示す情報を表示することを特徴とする請求項２から８のいずれか１項に記載の撮影装置。
【請求項１０】
撮影可能なランドマークを提示するための提示情報と、当該ランドマークの高さ情報を含む位置情報とを対応付けて記憶する提示情報記憶部と、被写体を撮影する撮影部とを備えた撮影装置における撮影方法であって、
前記撮影部の位置を示す位置情報を検出する位置検出ステップと、
前記撮影部の撮影方向を示す方向情報を検出する方向検出ステップと、
前記撮影部の撮影高度を示す高度情報を検出する高度検出ステップと、
前記提示情報記憶部に記憶された提示情報と、前記撮影部の位置情報、方向情報、および高度情報とを用いて、前記提示情報記憶部に提示情報および位置情報が記憶されているランドマークが撮影可能か否かを判断する撮影判断ステップと、
前記撮影判断ステップにおいて撮影可能と判断されたランドマークの前記提示情報を出力する出力制御ステップとを含むことを特徴とする撮影方法。
【請求項１１】
請求項１から９のいずれか１項に記載の撮影装置を動作させるためのプログラムであって、コンピュータを上記の各手段として機能させるためのプログラム。
【請求項１２】
請求項１１に記載のプログラムが記録されたコンピュータ読み取り可能な記録媒体。
【発明の詳細な説明】
【技術分野】
【０００１】
本発明は、ユーザによる撮影を支援する撮影装置、撮影方法、プログラム、および記録媒体に関するものである。
【背景技術】
【０００２】
従来、デジタルカメラやカメラ付携帯電話機では、撮影を行った場所の位置情報を撮影した画像データに関連付けて保存する手法が用いられている。しかしながら、位置情報を記録するだけでは被写体に関する情報を得ることができないため、何を撮影したのか分からないという問題があった。
【０００３】
図７は、従来の撮影装置における問題点を示す概略図である。図７（ａ）は、写真やムービーなどの映像を撮影する際に、ＧＰＳなどを用いて位置データを取得し、地図データと対応付けて映像の撮影場所を記録することを示している。
【０００４】
しかしながら、図７（ａ）のように位置データおよび地図データを対応付けて用いることによって、その映像がどこで撮影されたかを知ることができても、撮影する際に位置データおよび地図データの情報を有効に生かすことは出来ない。図７（ｂ）は、撮影方向を少し右側に移動すれば著名な山岳が存在したにもかかわらず、有名でない山を背景に写真撮影をしてしまうという問題点を示している。
【０００５】
上記の問題を解決するために、特許文献１では、撮影時の位置を示す位置情報と、撮影部の撮影方向を示す方位情報とを取得し、位置情報および方位情報と、撮影位置および撮影方向を記録した地図データとを対応付けて保存する情報端末について開示されている。
【０００６】
また、特許文献２では、ランドマークの位置情報および名称を持つ地図を有するデータベースを持ち、撮影位置に近いランドマークを検索して表示するカメラについて開示されている。
【特許文献１】特開２００５−０３９７０２号公報（２００５年２月１０日公開）
【特許文献２】特開２００７−１６６０８４号公報（２００７年６月２８日公開）
【発明の開示】
【発明が解決しようとする課題】
【０００７】
しかしながら、上記従来の構成では、位置情報は、撮影後のデータに対してその写真がどこで撮影されたものであるかを指し示すためのものであり、撮影時に何ら影響を及ぼすものではなかった。そのため、カメラのファインダーを覗いても、何を被写体として撮影するためにどこを向いて撮影しているのか、撮影対象がどんな山なのか、撮影している背景が何であるのか、といった情報が不明のままであるという問題を生じる。
【０００８】
本発明は、上記の問題点に鑑みてなされたものであり、その目的は、ユーザに、より良い撮影条件を提示することができる撮影装置、撮影方法、プログラム、および記録媒体を実現することにある。
【課題を解決するための手段】
【０００９】
本発明に係る撮影装置は、上記課題を解決するために、撮影可能なランドマークを提示するための提示情報と、当該ランドマークの高さ情報を含む位置情報とを対応付けて記憶する提示情報記憶部と、被写体を撮影する撮影部と、前記撮影部の位置を示す位置情報を検出する位置検出手段と、前記撮影部の撮影方向を示す方向情報を検出する方向検出手段と、前記撮影部の撮影高度を示す高度情報を検出する高度検出手段と、前記提示情報記憶部に記憶された位置情報と、前記撮影部の位置情報、方向情報、および高度情報とを用いて、前記提示情報記憶部に提示情報および位置情報が記憶されているランドマークが撮影可能か否かを判断する撮影判断手段と、前記撮影判断手段にて撮影可能と判断されたランドマークの前記提示情報を出力する出力制御手段とを備えることを特徴としている。
【００１０】
また、本発明に係る撮影方法は、撮影可能なランドマークを提示するための提示情報と、当該ランドマークの高さ情報を含む位置情報とを対応付けて記憶する提示情報記憶部と、被写体を撮影する撮影部とを備えた撮影装置における撮影方法であって、前記撮影部の位置を示す位置情報を検出する位置情報検出ステップと、前記撮影部の撮影方向を示す方向情報を検出する方向検出ステップと、前記撮影部の撮影高度を示す高度情報を検出する高度検出ステップと、前記提示情報記憶部に記憶された提示情報と、前記撮影部の位置情報、方向情報、および高度情報とを用いて、前記提示情報記憶部に提示情報および位置情報が記憶されているランドマークが撮影可能か否かを判断する撮影判断ステップと、前記撮影判断ステップにおいて撮影可能と判断されたランドマークの前記提示情報を出力する出力制御ステップとを含むことを特徴としている。
【００１１】
上記の構成および方法によれば、各検出手段が検出した撮影部の位置、撮影方向、および撮影高度を示す情報に基づいて、撮影部の位置および撮影方向を把握し、撮影部によって被写体として撮影される、前記前記提示情報記憶部に提示情報および位置情報が記憶されているランドマークが撮影可能であるか否かを判断している。
【００１２】
具体的には、提示情報記憶部に記憶されているランドマークの提示情報、高さ情報を含む位置情報と、撮影部の位置および撮影方向の情報とを用いて撮影可能であるか否かの判断を行う。これにより、提示情報記憶部に記憶されているランドマークが撮影位置から撮影可能か否かを判断し、ユーザに対して提示する。したがって、ユーザはより良い撮影条件で撮影を行うための情報の提示を受けることができる。
【００１３】
本発明に係る撮影装置では、前記撮影部が撮影した撮影画像を表示する撮影表示部と、位置情報を含む地図画像を記憶する地図情報記憶部と、前記撮影部の位置情報に対応する前記地図画像を表示する地図表示部とをさらに備え、前記出力制御手段は、前記位置検出手段が検出した位置情報および前記方向検出手段が検出した方向情報に基づいて、前記撮影画像、前記地図画像、および前記提示情報を対応づけて前記撮影表示部または前記地図表示部に表示することが好ましい。
【００１４】
上記の構成によれば、撮影装置は、地図情報表示部を備えているので、位置情報を含む地図画像をユーザに提示できる。また、出力制御手段は、地図画像を提示する際に、前記位置検出手段が検出した位置情報および前記方向検出手段が検出した方向情報に基づいて対応づけている。
【００１５】
よって、ユーザは、位置情報および方向情報に基づいて対応付けられた撮影画像、地図画像、提示情報を参照しながら撮影することができるので、撮影装置の撮影方向や撮影位置の周囲の状況などを把握しやすい情報の提示を受けることができる。
【００１６】
本発明に係る撮影装置では、前記出力制御手段は、撮影可能と判断されたランドマークの提示情報のうちの少なくとも１つを前記地図画像に重畳して表示することが好ましい。
【００１７】
上記の構成によれば、出力制御手段が、地図画像に重畳して撮影可能なランドマークの提示情報のうち少なくとも１つを地図画像に重畳して表示する。
【００１８】
これによって、ユーザは地図画像に含まれる情報と、地図画像に重畳して表示されたランドマークの提示情報とを同時に参照することができるので、ユーザは地図情報だけでは分かりづらいランドマークに対しても、より分かりやすく情報の提示を受けることができる。
【００１９】
本発明に係る撮影装置では、前記地図表示部における前記地図画像の表示範囲内に前記撮影判断手段が撮影可能と判断したランドマークが含まれない場合、撮影可能と判断した前記ランドマークの位置情報と対応する地図画像の領域が前記地図表示部の表示範囲内に含まれるように当該地図画像の表示範囲、および、表示縮尺の少なくとも一方を変更して、地図画像を表示することが好ましい。
【００２０】
上記の構成によれば、出力制御手段は、撮影可能と判断したランドマークが地図表示部に表示する地図画像に含まれていない場合には、地図画像の表示範囲や表示縮尺を変更して、撮影可能と判断した地図画像の表示領域内に表示されないランドマークを表示する。
【００２１】
これによって、現在の地図画像の表示設定では、地図表示部における表示領域内にランドマークの提示情報が表示されないような場合であっても、ユーザはそのランドマークの提示情報を参照することができる。
【００２２】
本発明に係る撮影装置では、前記出力制御手段は、前記地図表示部における前記地図画像の表示範囲内に前記撮影判断手段が撮影可能と判断したランドマークが含まれない場合、前記地図表示部における当該地図画像の領域外に撮影可能と判断された前記ランドマークの提示情報のうち少なくとも１つを表示することが好ましい。
【００２３】
上記の構成によれば、出力制御手段は、前記地図表示部における地図画像の表示範囲外にランドマークの提示情報を表示する。これは、地図画像の表示縮尺などの設定によって、位置情報を含む地図画像上の対応する地点にランドマークが前記地図表示部に表示されない場合であっても、地図画像の表示領域外の対応する地点にランドマークの提示情報を表示することで、ユーザに地図画像の表示領域外の存在するランドマークについて提示するためである。
【００２４】
これによって、ユーザは地図画像の表示領域外に撮影可能と判断されたランドマークが存在する場合であっても、当該ランドマークの提示情報の提示を受けることができる。
【００２５】
本発明に係る撮影装置では、前記出力制御手段は、前記方向情報に基づいて前記地図画像を回転させて表示することが好ましい。
【００２６】
上記の構成によれば、前記出力制御手段は、撮影部の撮影方向を示す方向情報に基づいて地図画像を回転させて表示する。具体的には、例えば、撮影方向と、地図表示部の上側とを対応づけることによって、ユーザが参照しやすいように地図画像を提示する。
【００２７】
これによって、ユーザは提示された、撮影方向と対応付けられた分かりやすい地図画像を参照して撮影を行うことができる。
【００２８】
本発明に係る撮影装置では、前記出力制御手段は、前記方向情報に基づいて前記撮影部の撮影方向を示す画像、および撮影範囲を示す画像の少なくとも一方を前記地図画像に重畳して表示することが好ましい。
【００２９】
上記の構成によれば、出力制御手段は、撮影方向を示す画像、撮影範囲を示す画像を地図画像に重畳して表示する。このように、地図画像上に撮影方向や撮影範囲を示すことによって、ユーザに撮影可能と判断されたランドマークの提示情報と、撮影方向や撮影範囲とを対比させ、撮影対象のランドマークについて検討させることが可能となる。
【００３０】
これによって、ユーザは撮影可能であるランドマークの候補および撮影方向や撮影範囲の情報をビジュアルで分かりやすく把握することができる。
【００３１】
本発明に係る撮影装置では、前記出力制御手段は、前記方向情報に基づいて、前記撮影部が撮影した前記被写体の撮影画像に対応させて、撮影可能と判断された前記ランドマークの提示情報を表示することが好ましい。
【００３２】
上記の構成によれば、出力制御手段は、撮影部の撮影方向を示す方向情報に基づいて、撮影画像および撮影可能と判断したランドマークの提示情報とを対応づけて表示する。これは、撮影部が撮影した撮影画像の中に含まれる被写体に、撮影可能と判断したランドマークが含まれていることをユーザに分かりやすく提示するために、撮影画像および提示情報の対応付けを、例えば、アイコンや文字などで撮影画像の周囲や内部に表示することで行っている。
【００３３】
これによって、ユーザは、撮影のために撮影画像を参照しつつ、周囲や内部に対応付けて表示されている提示情報を参照できるので、提示を受けているランドマークを被写体として撮影していることを分かりやすく把握することができる。
【００３４】
本発明に係る撮影装置では、前記出力制御手段は、前記撮影部の撮影方向、または、撮影高度を変更することで撮影可能となるランドマークが存在する場合、当該ランドマークを撮影可能にする撮影方向、または、撮影高度を変更する手順を示す情報を表示することが好ましい。
【００３５】
上記の構成によれば、出力制御手段は、撮影方向または撮影高度を変更することで撮影可能になるランドマークについて、ユーザに変更方法を提示する。例えば、当該ランドマークを撮影可能にするための手順を示す情報を、撮影方向を右に３０度移動する、撮影する階を１階から６階に変更する、といった具体的な手順として表示する。
【００３６】
これによって、ユーザはランドマークを撮影可能にする具体的な手順を示す情報の提示を受けることができるので、ユーザはランドマークを含む画像の撮影をより容易に行うことができる。
【００３７】
なお、上記撮影装置は、コンピュータによって実現してもよく、この場合には、コンピュータを上記各手段として動作させることにより上記撮影装置をコンピュータにて実現させる撮影装置の制御プログラム、およびそれを記録したコンピュータ読み取り可能な記録媒体も、本発明の範疇に入る。
【発明の効果】
【００３８】
本発明に係る撮影装置は、撮影可能なランドマークを提示するための提示情報と、当該ランドマークの高さ情報を含む位置情報とを対応付けて記憶する提示情報記憶部と、被写体を撮影する撮影部と、前記撮影部の位置を示す位置情報を検出する位置検出手段と、前記撮影部の撮影方向を示す方向情報を検出する方向検出手段と、前記撮影部の撮影高度を示す高度情報を検出する高度検出手段と、前記提示情報記憶部に記憶された位置情報と、前記撮影部の位置情報、方向情報、および高度情報とを用いて、前記提示情報記憶部に提示情報および位置情報が記憶されているランドマークが撮影可能か否かを判断する撮影判断手段と、前記撮影判断手段にて撮影可能と判断されたランドマークの前記提示情報を出力する出力制御手段とを備えている。
【００３９】
また、本発明に係る撮影方法は、撮影可能なランドマークを提示するための提示情報と、当該ランドマークの高さ情報を含む位置情報とを対応付けて記憶する提示情報記憶部と、被写体を撮影する撮影部とを備えた撮影装置における撮影方法であって、前記撮影部の位置を示す位置情報を検出する位置情報検出ステップと、前記撮影部の撮影方向を示す方向情報を検出する方向検出ステップと、前記撮影部の撮影高度を示す高度情報を検出する高度検出ステップと、前記提示情報記憶部に記憶された提示情報と、前記撮影部の位置情報、方向情報、および高度情報とを用いて、前記提示情報記憶部に提示情報および位置情報が記憶されているランドマークが撮影可能か否かを判断する撮影判断ステップと、前記撮影判断ステップにおいて撮影可能と判断されたランドマークの前記提示情報を出力する出力制御ステップとを含んでいる。
【００４０】
上記の構成および方法によれば、各検出手段が検出した撮影部の位置、撮影方向、および撮影高度を示す情報に基づいて、撮影部の位置および撮影方向を把握し、撮影部によって被写体として撮影される、前記前記提示情報記憶部に提示情報および位置情報が記憶されているランドマークが撮影可能であるか否かを判断している。
【００４１】
具体的には、提示情報記憶部に記憶されているランドマークの提示情報、高さ情報を含む位置情報と、撮影部の位置および撮影方向の情報とを用いて撮影可能であるか否かの判断を行う。これにより、提示情報記憶部に記憶されているランドマークが撮影位置から撮影可能か否かを判断し、ユーザに対して提示する。したがって、ユーザはより良い撮影条件で撮影を行うための情報の提示を受けることができるという効果を奏する。
【発明を実施するための最良の形態】
【００４２】
（装置の構成）
本発明の一実施形態について図１から図６に基づいて説明すると以下の通りである。
【００４３】
図１は、本実施形態の撮影装置１の要部構成を示す機能ブロック図である。本実施形態の撮影装置１は、画像合成部１０、記憶部２０、判断部３０、センサ部４０、出力制御部（出力制御手段）５０、表示出力部（撮影表示部、地図表示部）６０、音声出力部７０、および撮影部８０を備えている。
【００４４】
画像合成部１０は、地図表示制御部１２、ランドマーク表示制御部１４、および撮影画像表示制御部１６を備えている。記憶部２０は、地図情報記憶部２２、およびランドマーク情報記憶部（提示情報記憶部）２４を備えている。判断部３０は、位置判断部（位置検出手段、高度検出手段）３２、方向判断部（方向検出手段）３４、および撮影判断部（撮影判断手段）３６を備えている。センサ部４０は、位置センサ４２、加速度センサ４４、地磁気センサ４６、および高度センサ４８を備えている。以下、各部の機能の詳細について、説明する。
【００４５】
画像合成部１０は、記憶部２０に記憶された、位置情報および地図画像を含む地図情報と、山や湖といった自然物や、塔やビルといった建造物など、地図上で目印となるようなランドマークの名前（識別情報）、位置情報、高度情報、サイズ情報、コメント情報などを含むランドマーク情報６６とを位置情報に基づいて合成する。その後、撮影部８０から撮影された撮影画像のデータと合成して各出力部に出力させる処理を行う。具体的には、画像合成部１０は、ファインダー画像、地図画像、およびランドマーク情報６６を合成して、表示出力部６０の表示領域内に並べて、または、重畳して表示する。
【００４６】
地図表示制御部１２は、地図表示制御部１２は、判断部３０の位置判断部３２からの位置判断結果に基づいて、縮尺および表示範囲を計算し、地図情報記憶部２２から適切な範囲の地図画像を切り出し、地図情報を表示出力部６０に対して出力される出力用の地図画像に変換する。
【００４７】
ランドマーク表示制御部１４は、地図表示制御部１２で加工された地図画像の、位置情報に対応した場所に重畳して表示する、または、地図画像やプレビュー画像の周辺に対応関係が分かるように表示するランドマーク情報をランドマーク情報記憶部２４から取得し、加工して表示出力部６０に対して出力させる。
【００４８】
なお、ランドマーク表示制御部１４は、判断部３０の位置判断部３２、方向判断部３４、および撮影判断部３６の判断結果に基づいて対象可能なランドマーク情報６６をランドマーク情報記憶部２４から検出する。また、ランドマーク表示制御部１４が表示するランドマーク情報６６には、ランドマークの名称（識別情報）を示すテキストデータ、ランドマークを視覚的に示すアイコンや画像データ、ランドマークまでの距離および方向、ランドマークが存在することを示す音声案内、ランドマークを撮影可能にするための手順や、撮影部８０の撮影方向および撮影範囲などが含まれる。
【００４９】
撮影画像表示制御部１６は、撮影部８０から撮影された映像をプレビュー表示し、記憶部２０に撮影画像として記録する処理を行う。
【００５０】
なお、本実施形態では、ランドマーク情報６６を表示出力部６０に画像として表示するものとしたが、これに限るものではない。音声データとして音声出力部７０から出力する構成であってもよいし、振動や熱などその他の出力形態でユーザに通知してもよい。
【００５１】
記憶部２０は、半導体メモリや磁気記録媒体などで構成された記憶装置であり、撮影装置１で用いる各種設定情報や、撮影した画像などの記憶を行う。地図情報記憶部２２は、表示出力部６０にて出力されるナビゲーション用の地図画像が記憶されている。ランドマーク情報記憶部２４には、地図画像上や、プレビュー画像、地図画像などの周囲に表示されるランドマーク情報６６が記憶されている。
【００５２】
ランドマークを示すランドマークデータの一例を、図８に示す。図８では、「ネズミランド」を示すランドマーク８１および「◇◇山」を示すランドマーク８２のランドマークデータが示されている。図の下には、ランドマーク８１およびランドマーク８２に対応するランドマークデータの内容が示されている。
【００５３】
ランドマーク８１は、ランドマーク「ネズミランド」の領域を示している。ランドマーク８１の左上の座標は「北緯１３９°４６′１４、東経３５°４０′５」であり、右下の座標は「北緯１３９°５２′１３、東経３５°４１′１５」を示している。
【００５４】
ランドマーク８１の左上の座標は「ランドマーク位置開始緯度経度」を示し、そのランドマークが広がっている領域を規定するために、領域を規定した開始地点の緯度経路を表している。ランドマーク８１の右下の座標は「ランドマーク位置終了緯度経度」を示し、そのランドマークが広がっている領域を規定するために、領域を規定した終了地点の緯度経度を表している。
【００５５】
ランドマーク位置開始緯度経度およびランドマーク位置終了緯度経路は、「ランドマーク名」のデータと対応付けられてランドマークデータとして記憶されている。同様に、「ランドマークシンボル緯度経度」、「ランドマーク高度」、および「シンボル高度」が「ランドマーク名」に対応付けられて表示されている。
【００５６】
「ランドマークシンボル緯度経度」は、そのランドマークにおけるシンボル的な存在、具体例をあげれば、タワーや山頂などの位置を示す。「ランドマーク高度」は、ランドマークが配置されている土地の高度をしめしている。「シンボル高度」は、ランドマークの中の特にシンボルが配置されている箇所の高度を示している。
【００５７】
ここでは、ランドマーク８１の「ランドマークシンボル緯度経度」として、「北緯１３９°５０′２１」、「東経３５°４０′９」、「ランドマーク高度」として「標高１５０ｍ」、シンボル高度として「標高１８９ｍ」の値が設定されている。
【００５８】
同様に、「◇◇山」を示すランドマーク８２のランドマーク情報として、「ランドマーク位置開始緯度経度」が「北緯１３９°５５′３４、東経３５°４３′２」、「ランドマーク位置終了緯度経度」が「北緯１３９°６３′３３、東経３５°４８′５」、「ランドマークシンボル緯度経度」が「北緯１３９°５９′３３、東経３５°４５′７」、「ランドマーク高度」が「標高１８０ｍ」、「シンボル高度」が「６３５ｍ」と設定されている。
【００５９】
本実施形態の撮影装置１では、表示出力部６０に出力する地図画像の表示範囲に、上述のランドマークデータに設定されている緯度および経度が含まれている場合に、当該地図画像に重畳してランドマークを表示している。
【００６０】
また、ランドマーク自体の幅の情報を「ランドマーク位置開始緯度経度」「ランドマーク位置終了緯度経度」として保有することで、例えば万里の長城のように幅のある建造物や地形であっても、対象のランドマークの位置を算出することができる。
【００６１】
さらに、ランドマークを象徴するシンボルの位置を示す情報を保有することで、シンボルを中心に撮影させることや、シンボルを背景に撮影することを撮影するユーザに対して提案することもできる。
【００６２】
なお、地図情報およびランドマークデータは、あらかじめ記憶部２０内に内蔵していてもよいし、外部記憶メディアやネットワークなどを介して外部から取得する構成であってもよい。
【００６３】
判断部３０は、センサ部４０からのセンサ情報（例えば、位置情報、高度情報、方向情報など）に基づいて出力する、撮影する際にユーザに提示する提示情報（例えば、ランドマークの名称、ランドマークまでの距離、ランドマークを撮影可能にするための手順、ランドマークが撮影可能な状態であることを知らせる通知など）を決定するための判断を行う処理部である。位置判断部３２は、位置センサ４２、および高度センサ４８の出力から、撮影装置１および撮影部８０の位置情報を取得し、出力する提示情報の決定を行う。
【００６４】
方向判断部３４は、加速度センサ４４、および地磁気センサ４６の出力から、撮影装置１および撮影部８０の撮影方向を取得し、出力する提示情報の決定を行う。撮影判断部３６は、センサ部４０の各センサからの出力情報と、ランドマーク情報記憶部２４に記憶されているランドマーク情報６６とから、ユーザが現在の位置から方向や撮影装置１の向きを変更するだけで撮影可能となるランドマークの撮影できるかできないかの判断を行う。
【００６５】
センサ部４０は、各種センサで構成されている。位置センサ４２は、ＧＰＳ（Global Positioning System）などの緯度・経度を検出するセンサである。加速度センサ４４および地磁気センサ４６は、それぞれ３軸の方向を検出するセンサであり、撮影装置１自身の合計６軸の方向や回転を検出する。高度センサ４８は、気圧センサなどの高度を検出するセンサである。
【００６６】
出力制御部５０は、画像合成部１０や図示しない音声合成部、操作部などからの出力に応じて、表示出力部６０および音声出力部７０の出力制御を行う。表示出力部６０は、液晶や有機ＥＬ（Electro Luminescence）などの素子で構成されたディスプレイである。音声出力部７０は、スピーカやイヤホンなどで構成された音声出力デバイスである。撮影部８０は、ＣＣＤ（Charge Coupled Devices）などで構成された光学画像入力デバイスである。撮影部８０で撮影されたプレビュー画像は、画像合成部１０および出力制御部５０を介して表示出力部６０にファインダー画像として出力される。
【００６７】
（処理の手順）
次に、本実施形態の撮影装置１を用いて実際に撮影を行う際の処理の流れについて、図２を参照して説明する。図２は、ユーザが撮影操作を行う際に撮影装置１で行われる処理の流れを示すフローチャートである。
【００６８】
処理が開始されると、まず、Ｓ１０１において、センサ部４０において、位置情報、方向情報、および高度情報が取得される。次に、Ｓ１０２において、画像合成部１０の地図表示制御部１２は、記憶部２０の地図情報記憶部２２から位置情報に対応する地図画像を取得する。
【００６９】
Ｓ１０３において、ランドマーク表示制御部１４は、地図画像に重畳して撮影装置１の撮影部８０の撮影方向を示す方向情報を表示する。Ｓ１０４において、判断部３０の撮影判断部３６は、センサ部４０が検出した位置情報、高度情報に対応するランドマーク情報６６をランドマーク情報記憶部２４から検索する。
【００７０】
Ｓ１０５において、撮影判断部３６は、ランドマーク情報記憶部２４から検索した対象のランドマークが撮影可能範囲に存在するか否かを判断する。対象のランドマークが撮影可能範囲に存在する場合（Ｓ１０５でＹＥＳ）、処理はＳ１０６へ進む。対象のランドマークが撮影可能範囲に存在しない場合（Ｓ１０５でＮＯ）、処理はＳ１０４に戻り、再度ランドマーク情報６６の検索を繰り返す。
【００７１】
なお、対象のランドマークが撮影可能であるかの判断では、対象のランドマークまでの距離、高さ、幅、高度差、視界、遮蔽物、天候、撮影方向などの情報を考慮して行う。ここで、対象のランドマークが撮影可能であるか判断する方法について、図９を参照して説明する。図９は、撮影するユーザ９０および撮影対象のランドマーク９１の位置関係と、撮影可能であるか否かを示した模式図である。
【００７２】
図９（ａ）は、ユーザ９０の前方の下方にランドマーク９１が存在し、撮影可能な状態を示す図である。図９（ｂ）は、ユーザ９０の前方の情報にランドマーク９１が存在し、撮影可能な状態を示す図である。図９（ｃ）は、ユーザの前方の同じ高度にランドマーク９１が存在し、撮影可能な状態を示す図である。図９（ｄ）は、ユーザの前方の同じ高度のランドマーク９１が存在するが、撮影不可能な場合を示す図である。
【００７３】
ランドマーク９１の高度情報は、図８に示したランドマーク情報としてランドマーク情報記憶部２４記憶されている。これに対して、ユーザ９０の高度情報は、撮影装置１のセンサ部４０にて検出された位置情報および高度情報に基づいて算出される。高度情報は、高度センサ４８を用いて算出してもよいし、地図データに設定されている高度情報を緯度経度から算出してもよい。
【００７４】
以下、撮影判断部３６が対象のランドマークを撮影可能か不可能か判断する手順について、説明する。まず、ユーザ９０およびランドマーク９１の間を直線で結び、その間の空間に含まれる緯度経度をチェックする。そして、チェックした空間の高度が、撮影装置１を所持するユーザ９０がいる場所の高度よりも高いか低いかを判定する。
【００７５】
ユーザ９０およびランドマーク９１の間の空間に、ランドマーク９１以上の高度の物体が存在しない場合（図９（ａ）、図９（ｂ）、図９（ｃ）に対応）、撮影判断部３６は対象のランドマーク９１を撮影可能であると判断する。
【００７６】
図９（ａ）では、ユーザ９０がいる高度９２よりも、ランドマーク９１のシンボルの高度９３が下にあり、その間の空間に視線を遮る物体が存在しないので、撮影可能であると判断する。ここで、ランドマーク９１の高度ではなく、ランドマークシンボルの高度を用いるのは、撮影するのはランドマーク９１の山頂や頂点などの、ランドマークの特徴となる場所を撮影に用いるからである。
【００７７】
図９（ｂ）では、ユーザ９０がいる高度９５よりも、ランドマーク９１のシンボルの高度９４が上にあり、その間の空間に視線を遮る物体が存在しないので、撮影可能であると判断する。
【００７８】
図９（ｃ）では、ユーザ９０がいる高度９７よりも、ランドマーク９１のシンボルの高度９６が上にあり、その間の空間に視線を遮る物体が存在しないので、撮影可能であると判断する。
【００７９】
図９（ｄ）では、ユーザ９０がいる高度９９よりも、ランドマーク９１のシンボルの高度９８が上にあるが、ランドマーク９１のシンボルの高度９８よりも高い物体がユーザ９０およびランドマーク９１の間の空間に存在するために、撮影不可能であると判断する。
【００８０】
以上の判断を用いて、撮影可能であると判断された場合にのみ、ユーザ９０に対してランドマーク情報の告知を行う。
【００８１】
Ｓ１０６において、ランドマーク表示制御部１４は、撮影可能範囲に存在すると判断した対象のランドマークが、現在表示している縮尺の地図画像の表示範囲内に存在するか否かを判断する。表示している地図画像の範囲内の場合（Ｓ１０６でＹＥＳ）、処理はＳ１０７へ進む。表示している地図画像の範囲内でない場合（Ｓ１０６でＮＯ）、処理はＳ１０９へ進む。
【００８２】
Ｓ１０７において、ランドマーク表示制御部１４は、地図画像に重畳してランドマーク情報６６の表示を行う（図３、図４参照）。なお、ランドマーク情報６６は、地図画像に含まれるの位置情報と対応させて表示し、地図画像上でユーザに分かりやすいように、テキストやアイコンなどで強調表示している。
【００８３】
なお、図１０に示すように、ランドマーク表示制御部１４によって地図画像に重畳して表示するランドマーク情報は、通常の地図情報に含まれる情報と区別できるようになっていることが好ましい。図１０は、地図画像に重畳して表示するランドマーク情報を強調して表示する方法の具体例を示す図である。
【００８４】
図１０では、「ネズミランド」および「◇◇山」の２つのランドマークに対してランドマーク情報を重畳して表示している。ここでは、「ネズミランド」のランドマークに対して、「ネズミランド」を示すテキスト８６を太文字で表示し、テキスト８６のバック８７に色をつけて表示している。同様に、「◇◇山」のランドマークに対して、「◇◇山」を示すテキスト８８を太文字で表示し、テキスト８８のバック８９に色をつけて表示している。
【００８５】
このように、地図画像に含まれる情報と、重畳して表示するランドマーク情報とを区別できるように表示することで、ユーザはランドマーク情報を分かりやすく把握することができる。
【００８６】
Ｓ１０９において、ランドマーク表示制御部１４は、地図画像の表示領域外にランドマーク情報６６を表示する（図５参照）。Ｓ１１０において、ランドマーク表示制御部１４は、ランドマーク情報６６として、アイコン、識別情報（名称）に並べて、距離の情報を表示する。
【００８７】
Ｓ１１８において、画像合成部１０は、プレビュー画像、地図画像、およびランドマーク情報６６を合成して出力制御部５０に出力し、出力制御部５０は、表示出力部６０の表示領域内に重畳して、または、並べて表示し、一連の処理を終了する。
【００８８】
なお、上記の例では、表示出力部６０に画像またはテキストを用いてランドマーク情報６６を表示出力したが、これに限るものではない。音声出力部７０を介して音声を出力することで、同様の情報をユーザに提供してもよい。
【００８９】
また、Ｓ１０６の処理において、対象のランドマークが地図画像の表示領域外であった場合、地図画像の表示領域外にランドマーク情報６６を表示したが、これに限るものではない。対象のランドマークが地図画像の表示領域内に収まるように地図の表示縮尺を変更して表示してもよいし、地図画像の中心位置を変更することで表示領域をずらし、対象のランドマークを表示可能になるように、再度地図画像を取得しなおしてもよい（図６参照）。
【００９０】
（プレビュー画像、地図画像、ランドマークの表示方法）
次に、図３および図４を参照して、本実施形態の撮影装置１の表示出力部６０に実際に表示される画像について説明する。図３（ａ）は、ユーザが撮影する場所周辺の地図および撮影方向を示した図である。図３（ｂ）は、撮影装置１の表示出力部６０に実際に表示される画像を示す図である。図４（ａ）は、ユーザが撮影する場所周辺の地図および別の撮影方向を示した図である。図４（ｂ）は、撮影装置１の表示出力部６０に実際に表示される画像を示す図である。
【００９１】
図３（ａ）には、撮影装置１を持ったユーザの位置を中心とした地図画像を示している。図３（ａ）では、ユーザは「◇◇山」の場所に居り、図面右側方向（東方向）を向いて撮影装置１の撮影部８０を構えていることを示している。ユーザの前方である撮影方向には、「○○山」が存在している。
【００９２】
図３（ｂ）は、図３（ａ）の状態での表示出力部６０の表示画面である。表示画面は、撮影ファインダー表示部６２および位置情報地図表示部６４の２つの領域に分かれている。ここでは、上半分を撮影ファインダー表示部６２、下半分を位置情報地図表示部６４として示している。撮影ファインダー表示部６２には、撮影部８０から撮影された画像のプレビュー画像が表示されている。ここでは、人物の背景として「○○山」が右前方に表示されている。
【００９３】
位置情報地図表示部６４には、地図情報記憶部２２から任意の縮尺で切り出された地図画像に、ランドマーク情報記憶部２４から検出された撮影可能なランドマーク情報６６、および撮影装置１自身の撮影の向きを示す矢印６８を重畳して表示している。地図画像は、撮影方向を表示画面の上部になるように地図画像を回転して表示している。
【００９４】
図４（ａ）は、図３（ａ）と同様に、撮影装置１を持ったユーザの位置を中心とした地図画像を示している。図４（ａ）では、ユーザは「◇◇山」の場所に居り、図面右下方向（南南東方向）を向いて撮影装置１の撮影部８０を構えていることを示している。ユーザの前方である撮影方向には、「口口の滝」が存在している。
【００９５】
図４（ｂ）は、図４（ａ）の状態での表示出力部６０の表示画面である。撮影ファインダー表示部６２には、撮影部８０にて撮影された画像のプレビュー画像が表示されている。ここでは、「口口の滝」が正面に表示されている。
【００９６】
位置情報地図表示部６４には、地図情報記憶部２２から任意の縮尺で切り出された地図画像に、ランドマーク情報記憶部２４から検出された撮影可能なランドマーク情報６６、および撮影装置１自身の撮影の向きを示す矢印６８を重畳して表示している。地図画像は、撮影方向を表示画面の上部になるように地図画像を回転して表示している。
【００９７】
以上のように、ユーザは位置情報地図表示部６４に表示された撮影可能なランドマーク情報６６を参照して、任意のランドマークを撮影の背景として容易に選択し、撮影を行うことができる。
【００９８】
（ランドマークが遠い場合の表示方法）
次に、図５を参照して、ランドマークが撮影位置から遠い場所に存在する場合の画面表示方法について説明する。図５（ａ）は、ユーザが撮影する場所周辺の地図および撮影方向を示した別の図である。図５（ｂ）は、撮影装置１の表示出力部６０に実際に表示される画像を示す図である。
【００９９】
図５（ａ）には、撮影装置１を持ったユーザの位置を中心として、図面上方向（北方向）のさらに上方に存在するランドマーク「富士山」を表示した地図画像である。なお、図５（ａ）では、ユーザは画面上方向（北方向）を向いており、撮影地点である「◇◇山」から「△△湖」までの距離が５ｋｍ、「◇◇山」から「富士山」までの距離が１００ｋｍの場合を示している。
【０１００】
図５（ｂ）は、図５（ａ）の状態での表示出力部６０の表示画面である。撮影ファインダー表示部６２には、撮影部８０から撮影された画像のプレビュー画像が表示されている。ここでは、人物の背景の正面前方に「△△湖」、さらに後方に「富士山」が表示されている。
【０１０１】
位置情報地図表示部６４には、地図情報記憶部２２から任意の縮尺で切り出された地図画像に、ランドマーク情報記憶部２４から検出された撮影可能なランドマーク情報６６、および撮影装置１自身の撮影の向きを示す矢印６８を重畳して表示している。さらに、地図画像の表示領域の上方（北方向）外側に、「富士山」を示すランドマーク情報６６と、距離を示すランドマーク情報６６である距離情報６７が「（約１００ｍ）」と表示されている。
【０１０２】
ユーザは地図の表示領域外に表示されたランドマーク情報６６および距離情報６７を参照して、地図表示領域内に表示しきれない撮影可能なランドマークの情報についても知ることができる。
【０１０３】
（地図の表示位置をずらす場合の表示方法）
次に、図６を参照して、ランドマークが地図の表示領域内に表示されない場合の別の表示方法について説明する。図６（ａ）は、ユーザが撮影する場所周辺の地図および撮影方向を示した別の図である。図６（ｂ）は、撮影装置１の表示出力部６０に実際に表示される画像を示す図である。
【０１０４】
図６（ａ）には、撮影装置１をもったユーザを中心として、周囲に存在する様々なランドマークを表示している。なお、図６（ａ）では、ユーザは「◇◇山」の山頂に居るものとして説明している。
【０１０５】
図６（ｂ）は、図５（ａ）の状態での表示出力部６０の表示画面である。撮影ファインダー表示部６２には、撮影部８０から撮影された画像のプレビュー画像が表示されている。ここでは、画面上方（北方向）に存在するランドマーク「▽▽梨園」を表示するために、画面をずらすことでユーザの存在する位置である「◇◇山」のランドマーク情報を表示し、「▽▽梨園」のランドマークを地図画像の表示領域内に表示可能となるように調整している。
【０１０６】
なお、図６（ｂ）では、地図画像の表示領域をずらすことによってランドマークを表示する構成としたが、これに限るものではない。地図画像の表示縮尺を変更して撮影可能なランドマークを地図画像の表示領域内に収まるように調整してもよいし、表示領域の外側にあるランドマークを矢印などで表示領域内に表示する構成であってもよい。
【０１０７】
なお、上述の説明では、画像合成部１０および判断部３０が撮影装置１内に存在する場合について説明したが、これに限るものではない。位置センサ４２、加速度センサ４４、地磁気センサ４６、高度センサ４８などのセンサを持つ撮影装置に対してランドマークを出力するような撮影装置としての外部ハードウェア、ＩＣチップ、または外部ソフトウェアであってもよい。また、ネットワークを介して、地図情報やランドマーク情報６６を提示する構成であってもよい。センサからの入力に基づいて、対象のランドマークが撮影可能か否か判断する構成であれば、本実施形態と略同様の効果が得られる。
【０１０８】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
（本実施形態の効果のまとめ）
上述のように、本実施形態の撮影装置１では、撮影を行うカメラのファインダー機能、および、ＧＰＳおよび地図により位置情報を知りえる機能を融合させ、カメラのファインダー画面と地図の表示画面とを同じ画面上で表示することで、撮影を行おうとしている地点の周囲の風景や背景などの名称がすぐに分かるように提示されている。
【０１０９】
さらに、位置センサ４２や加速度センサ４４などのセンサからの入力データを使用することにより、現在、その機器が向いて撮影しようとしている方向を瞬時に知りえるようにするととともに、地図表示につき、その機器が向いて撮影しようとしている方向（方位）どおりに、地図を連動させて表示するようになっている。
【０１１０】
また、周囲の風景や背景において、ランドマークがある場合に、それらのランドマークを識別するための情報を効果的に提示することですぐにユーザが知りえる機能を搭載している。また、現在表示されている地点の地図の範囲外においてランドマークがある場合に、そのランドマークがあることを効果的に表示することで、ユーザが知りえる機能を搭載している。これにより、ユーザは撮影時に撮影しようとしている周りの風景や背景にどんなものがあるのかが地図を見てすぐ分かる。また、それらの情報を加味して撮影を行うことで、何を撮影したのかその場で分かりやすいとともに、後日もその撮影データを見ながら人に話したりすることができる。
【０１１１】
さらに、撮影地点から撮影しようとしている方向に向いてカメラを合わせると、その向きに地図も合わせて瞬時に表示されるため、その方向にどんな風景や背景があるのかすぐ分かる。また、近くにランドマークなどの情報を効果的に表示することで、それが特徴的なものであることをユーザに知らせ、撮影の風景や背景などとすることでより効果的な撮影を行うことができるようになる。
【０１１２】
以上のように、本実施形態の撮影装置１は、撮影可能なランドマークを提示するためのランドマーク情報６６と、当該ランドマークの高さ情報を含む位置情報とを対応付けて記憶するランドマーク報記憶部２４と、被写体を撮影する撮影部８０と、撮影部８０の位置を示す位置情報を検出する位置判断部３２と、撮影部８０の撮影方向を示す方向情報を検出する方向判断部３４と、撮影部８０の撮影高度を示す高度情報を検出する位置判断部３２と、ランドマーク情報記憶部２４に記憶された位置情報と、撮影部８０の位置情報、方向情報、および高度情報とを用いて、ランドマーク情報記憶部２４にランドマーク情報６６および位置情報が記憶されているランドマークが撮影可能か否かを判断する撮影判断部３６と、撮影判断部３６にて撮影可能と判断されたランドマークのランドマーク情報６６情報を出力する出力制御部５０とを備えることを特徴としている。
【０１１３】
また、本発明に係る撮影方法は、撮影可能なランドマークを提示するためのランドマーク情報６６と、当該ランドマークの高さ情報を含む位置情報とを対応付けて記憶するランドマーク情報記憶部２４と、被写体を撮影する撮影部８０とを備えた撮影装置１における撮影方法であって、撮影部８０の位置を示す位置情報を検出する位置情報検出ステップと、撮影部８０の撮影方向を示す方向情報を検出する方向検出ステップと、撮影部８０の撮影高度を示す高度情報を検出する高度検出ステップと、ランドマーク情報記憶部２４に記憶されたランドマーク情報６６と、撮影部８０の位置情報、方向情報、および高度情報とを用いて、ランドマーク情報記憶部２４にランドマーク情報６６および位置情報が記憶されているランドマークが撮影可能か否かを判断する撮影判断ステップと、前記撮影判断ステップにおいて撮影可能と判断されたランドマークのランドマーク情報６６を出力する出力制御ステップとを含むことを特徴としている。
【０１１４】
上記の構成および方法によれば、各検出手段が検出した撮影部８０の位置、撮影方向、および撮影高度を示す情報に基づいて、撮影部８０の位置および撮影方向を把握し、撮影部８０によって被写体として撮影される、ランドマーク情報記憶部２４にランドマーク情報６６および位置情報が記憶されているランドマークが撮影可能であるか否かを判断している。
【０１１５】
具体的には、ランドマーク情報記憶部２４に記憶されているランドマークの提示情報、高さ情報を含む位置情報と、撮影部８８の位置および撮影方向の情報とを用いて撮影可能であるか否かの判断を行う。これにより、ランドマーク情報記憶部２４に記憶されているランドマークが撮影位置から撮影可能か否かを判断し、ユーザに対して提示する。したがって、ユーザはより良い撮影条件で撮影を行うための情報の提示を受けることができる。
【０１１６】
また、本実施形態の撮影装置１では、撮影部８０が撮影した撮影画像を表示する撮影ファインダー表示部６２と、位置情報を含む地図画像を記憶する地図情報記憶部２２と、撮影部８０の位置情報に対応する前記地図画像を表示する位置情報地図表示部６４とをさらに備え、出力制御部５０は、位置判断部３２が検出した位置情報および方向判断部３４が検出した方向情報に基づいて、前記撮影画像、前記地図画像、およびランドマーク情報６６を対応づけて撮影ファインダー表示部６２または位置情報地図表示部５４に表示する。
【０１１７】
上記の構成によれば、撮影装置１は、位置情報地図表示部６４を備えているので、位置情報を含む地図画像をユーザに提示できる。また、出力制御部５０は、地図画像を提示する際に、位置判断部３２が検出した位置情報および方向判断部３４が検出した方向情報に基づいて対応づけている。
【０１１８】
よって、ユーザは、位置情報および方向情報に基づいて対応付けられた撮影画像、地図画像、ランドマーク情報６６を参照しながら撮影することができるので、撮影装置１の撮影方向や撮影位置の周囲の状況などを把握しやすい情報の提示を受けることができる。
【０１１９】
本実施形態の撮影装置１では、出力制御部５０は、撮影可能と判断されたランドマークのランドマーク情報６６のうち少なくとも１つを前記地図画像に重畳して表示する。
【０１２０】
上記の構成によれば、出力制御部５０が、地図画像に重畳して撮影可能なランドマークのランドマーク情報６６のうちの少なくとも１つを地図画像に重畳して表示する。
【０１２１】
これによって、ユーザは地図画像に含まれる情報と、地図画像に重畳して表示されたランドマークのランドマーク情報６６とを同時に参照することができるので、ユーザは地図情報だけでは分かりづらいランドマークに対しても、より分かりやすく情報の提示を受けることができる。
【０１２２】
本実施形態の撮影装置１では、出力制御部５０は、位置情報地図表示部６４の地図画像の表示範囲内に撮影判断部３６が撮影可能と判断したランドマークが含まれない場合、撮影可能と判断した前記ランドマークの位置情報と対応する位置情報地図表示部６４の地図画像の領域が表示する地図画像内に含まれるように当該地図画像の表示範囲、表示縮尺のうち少なくとも一方を変更して表示する。
【０１２３】
上記の構成によれば、出力制御部５０は、撮影可能と判断したランドマークが表示する地図画像に含まれて居ない場合には、地図画像の表示範囲や表示縮尺を変更して、撮影可能と判断した地図画像の表示領域内に表示されないランドマークを表示できる。
【０１２４】
これによって、現在の地図画像の表示設定では、表示領域内にランドマークのランドマーク情報６６が表示されないような場合であっても、ユーザはそのランドマークのランドマーク情報６６を参照することができる。
【０１２５】
本実施形態の撮影装置１では、出力制御部５０は、位置情報地図表示部６４の前記地図画像の表示範囲内に撮影判断部３６が撮影可能と判断したランドマークが含まれない場合、位置情報地図表示部６４の地図画像の表示領域外にランドマーク情報６６のうち少なくとも１つを表示する。
【０１２６】
上記の構成によれば、出力制御部５０は、地図画像の表示範囲外にランドマークのランドマーク情報６６を表示する。これは、地図画像の表示縮尺などの設定によって、位置情報を含む地図画像上の対応する地点にランドマークが表示されない場合であっても、地図画像の表示領域外の対応する地点にランドマークのランドマーク情報６６を表示することで、ユーザに地図画像の表示領域外の存在するランドマークについて提示するためである。
【０１２７】
これによって、ユーザは地図画像の表示領域である位置情報地図表示部６４外に撮影可能と判断されたランドマークが存在する場合であっても、当該ランドマークのランドマーク情報６６の提示をうけることができる。
【０１２８】
本実施形態の撮影装置１では、出力制御部５０は、前記方向情報に基づいて前記地図画像を回転させて表示する。
【０１２９】
上記の構成によれば、出力制御部５０は、撮影部８０の撮影方向を示す方向情報に基づいて地図画像を回転させて表示する。具体的には、撮影方向と、地図表示部の上側とを対応づけることによって、ユーザが参照しやすいように地図画像を提示する。
【０１３０】
これによって、ユーザは、撮影方向と対応付けられた分かりやすい地図画像を参照して撮影を行うことができる。
【０１３１】
本実施形態の撮影装置１では、出力制御部５０は、前記方向情報に基づいて撮影部８０の撮影方向を示す画像６８、および撮影範囲を示す画像の少なくとも一方を前記地図画像に重畳して表示する。
【０１３２】
上記の構成によれば、出力制御部５０は、地図画像にユーザの撮影を補助するための撮影方向を示す画像６８や撮影範囲を示す画像を重畳して表示するので、ユーザはより分かりやすく撮影に関する情報の提示を受けることができる。
【０１３３】
本実施形態の撮影装置１では、出力制御部５０は、前記方向情報に基づいて前記被写体の撮影画像に撮影可能と判断した前記ランドマークのランドマーク情報６６を表示する。
【０１３４】
上記の構成によれば、出力制御部５０は、撮影方向を示す画像、撮影範囲を示す画像を地図画像に重畳して表示する。このように、地図画像上に撮影方向や撮影範囲を示すことによって、ユーザに撮影可能と判断されたランドマークのランドマーク情報６６と、撮影方向や撮影範囲とを対比させ、撮影対象のランドマークについて検討させることが可能となる。
【０１３５】
これによって、ユーザは撮影可能であるランドマークの候補および撮影方向や撮影範囲の情報をビジュアルで分かりやすく把握することができる。
【０１３６】
本実施形態の撮影装置１では、出力制御部５０は、撮影部８０の撮影方向、または、撮影高度を変更することで撮影可能となるランドマークが存在する場合、当該ランドマークを撮影可能にする撮影方向、または、撮影高度を変更する手順を示す情報を表示する。
【０１３７】
上記の構成によれば、出力制御部５０は、撮影方向または撮影高度を変更することで撮影可能になるランドマークについて、ユーザに提示する。具体的には、当該ランドマークを撮影可能にするための手順を示す情報を、撮影方向を右に３０度移動する、撮影する階を１階から６階に変更する、といった具体的な手順にして表示する。
【０１３８】
これによって、ユーザはランドマークを撮影可能にする具体的な手順を示す情報の提示を受けることができるので、ユーザはランドマークを含む画像の撮影をより容易に行うことができる。
【０１３９】
最後に、撮影装置１の各ブロック、特に画像合成部１０および判断部３０は、ハードウェアロジックによって構成してもよいし、次のようにＣＰＵを用いてソフトウェアによって実現してもよい。
【０１４０】
すなわち、撮影装置１は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである撮影装置１の制御プログラムのプログラムコード（実行形式プログラム、中間コードプログラム、ソースプログラム）をコンピュータで読み取り可能に記録した記録媒体を、上記撮影装置１に供給し、そのコンピュータ（またはＣＰＵやＭＰＵ）が記録媒体に記録されているプログラムコードを読み出し実行することによっても、達成可能である。
【０１４１】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１４２】
また、撮影装置１を通信ネットワークと接続可能に構成し、通信ネットワークを介して上記プログラムコードを供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１４３】
本発明によれば、ユーザにより良い撮影条件を提示することができるので、デジタルカメラやビデオカメラなどの撮影装置、カメラ付携帯電話機、ＰＤＡ（Personal Digital Assistant）、ナビゲーション装置、ウォーキング端末、モバイル機器、ゲーム機、およびその他の撮影機能を備えた電子機器として好適に使用することができる。
【図面の簡単な説明】
【０１４４】
【図１】本発明の一実施形態を示すものであり、撮影装置の要部構成を示すブロック図である。
【図２】上記撮影装置において、ユーザが撮影操作を行う際に行われる処理の流れを示すフローチャートである。
【図３】図３（ａ）は、ユーザが撮影する場所周辺の地図および撮影方向を示した図であり、図３（ｂ）は、撮影装置の表示出力部に実際に表示される画像を示す図である。
【図４】図４（ａ）は、ユーザが撮影する場所周辺の地図および別の撮影方向を示した図であり、図４（ｂ）は、撮影装置の表示出力部に実際に表示される画像を示す図である。
【図５】図５（ａ）は、ユーザが撮影する場所周辺の地図および撮影方向を示した別の図であり、図５（ｂ）は、撮影装置の表示出力部に実際に表示される画像を示す図である。
【図６】図６（ａ）は、ユーザが撮影する場所周辺の地図および撮影方向を示した別の図であり、図６（ｂ）は、撮影装置の表示出力部に実際に表示される画像を示す図である。
【図７】図７（ａ）および図７（ｂ）は、従来の撮影装置における問題点を示す概略図である。
【図８】ランドマークを示すランドマークデータの一例を示す図である。
【図９】撮影するユーザおよび撮影対象のランドマークの位置関係と、撮影可能であるか否かを示した模式図である。
【図１０】地図画像に重畳して表示するランドマーク情報を強調して表示する方法の具体例を示す図である。
【符号の説明】
【０１４５】
１  撮影装置
１０  画像合成部
１２  地図表示制御部
１４  ランドマーク表示制御部
１６  撮影画像表示制御部
２２  地図情報記憶部
２４  ランドマーク情報記憶部（提示情報記憶部）
３０  判断部
３２  位置判断部（位置検出手段、高度検出手段）
３４  方向判断部（方向検出手段）
３６  撮影判断部（撮影判断手段）
５０  出力制御部（出力制御手段）
６０  表示出力部（撮影表示部、地図表示部）
６２  撮影ファインダー表示部（撮影表示部）
６４  位置情報地図表示部（地図表示部）
６６  ランドマーク情報
６７  距離情報
６８  矢印（撮影方向を示す画像）
７０  音声出力部
８０  撮影部
【図１】
2010050927.tif 000003
【図２】
2010050927.tif 000004
【図３】
2010050927.tif 000005
【図４】
2010050927.tif 000006
【図５】
2010050927.tif 000007
【図６】
2010050927.tif 000008
【図８】
2010050927.tif 000009
【図９】
2010050927.tif 000010
【図１０】
2010050927.tif 000011
【図７】
2010050927.tif 000012